(57)【要約】      （修正有）【課題】市販されているねじ又はボルトを利用しつつ、任意の個所のねじ又はボルト部に塗料や樹脂の塗りこみしろ、あるいはシール等の貼りこみしろを設けることを実現する。【解決手段】内側に漏斗状断面を有する異形ワッシャー１−１の外周縁を、螺着されたねじ又はボルト頭部の高さに微小な余長１−３を加えた高さを持つ断面を有するものであるよう加工する。【選択図】図１
0003100624.tif 000002
【実用新案登録請求の範囲】
【請求項１】
頭部上面を該ねじ又はボルトの締め付け具先端を受入れる溝を除き略面一に加工された円錐台状断面を有する頭部を備えるねじ又はボルトと併用され、内側に前記ねじ又はボルトの頭部と相似な漏斗状断面を有する異形ワッシャーであって、
該異形ワッシャーの外周縁は螺着されたねじ又はボルトの頭部の高さに微小な余長を加えた高さを持つ断面を有するものであることを特徴とするねじ又はボルト用異形ワッシャー。
【請求項２】
請求項１記載のねじ又はボルト用異形ワッシャーであって、前記内側に漏斗状断面を有する異形ワッシャーは表面に絶縁体による皮膜を設けたものであることを特徴とするねじ又はボルト用異形ワッシャー。
【請求項３】
請求項１記載のねじ又はボルト用異形ワッシャーであって、内側に漏斗状断面を有する異形ワッシャーに代えて、内側に凹型断面を有することを特徴とするねじ又はボルト用異形ワッシャー。
【考案の詳細な説明】
【技術分野】
【０００１】  ボルト及びワッシャーに関する。
【背景技術】
【０００２】  ねじ又はボルト用及びワッシャーが多用される建物、橋梁、鉄塔、鋼製船等の構築物ならびに鋼製工芸品、車両、家電製品等の工作物においては、その躯体の防錆塗装、美術的観点からの塗装、安全面からの塗装等が施されることがほとんどである。【０００３】  前記のような用途において、特定のボルト部のみを周囲の塗装色と区別して、ねじ又はボルトの頭部に所望の色の塗料を塗り込んだり、シールを貼り込んだりする、いわゆるマーキングや、工芸品や車両のナンバープレートの取付けネジなどにおいては、樹脂や漆を塗りこんでアクセントを付けたり、シールを貼ったりして他との差別化を図りたい等の需要がある。例えば、橋梁においては中心から両岸へ向かう距離目盛として利用する、鉄塔においては地上からの高さを表示する目盛りとして利用する、家電製品においてはアース極、プラス極を表示する等が想定される。【０００４】  上記の用途に使用する際には、耐候性を持たせたり、擦過や磨耗による剥離や劣化を防止するために、塗料や樹脂を厚く塗布する必要があるが、ボルト頭部に塗料を盛り上げるのであれば、擦過や磨耗から塗料やシールを守ることが出来ず、ねじ又はボルトの頭部に塗料や樹脂の塗りこみしろ、あるいはシール等の貼りこみしろが必要となる。
【考案の開示】
【考案が解決しようとする課題】
【０００５】  市販されているねじ又はボルトの頭部自身に塗料や樹脂の塗りこみしろ、あるいはシール等の貼りこみしろを設けることは、特注品となって大幅なコストアップ要因となり該ねじ又はボルトを利用することが出来なくなる。したがって、市販されているねじ又はボルトを利用しつつ、任意の個所のねじ又はボルト部に塗料や樹脂の塗りこみしろ、あるいはシール等の貼りこみしろを設けることを実現する。
【課題を解決しようとする手段】
【０００６】  請求項１記載の考案は、頭部上面を該ねじ又はボルトの締め付け具先端を受入れる溝を除き略面一に加工された円錐台状断面を有する頭部を備えるねじ又はボルトと併用され、内側に前記ねじ又はボルトの頭部と相似な漏斗状断面を有する異形ワッシャーであって、
該異形ワッシャーの外周縁は螺着されたねじ又はボルトの頭部の高さに微小な余長を加えた高さを持つ断面を有するものであるよう加工する。
【０００７】  請求項２記載の考案は、内側に漏斗状断面を有する異形ワッシャーは表面に絶縁体による皮膜を設けたものであるよう加工する。
【０００８】  請求項３記載の考案は、内側に凹型断面を有するものであるよう加工する。
【発明の効果】
【０００９】  本考案によって、一般的な規格によって製造された市販のねじ又はボルトを利用しているにもかかわらず、所望の個所に螺着されたねじ又はボルト頭部の持続的マーキングを実現する。
【００１０】  すなわち、塗料や樹脂、漆の塗りこみしろ、シールの貼りこみしろを生成し、それらを擦過や磨耗による剥離や劣化から守ることを実現する。
【考案を実施するための最良の形態】
【００１１】  円錐台状断面を有する頭部を備えるねじ又はボルト、いわゆる皿ねじと、
内側を前記ねじ又はボルトの頭部と相似な漏斗状断面に加工した異形ワッシャーとによって併用され、
いわゆる皿ねじの頭部上面は、マイナス、あるいはプラス形状のドライバー溝を除き略面一に加工されたものであって、内側に漏斗状断面を有する異形ワッシャーに緩挿され、対象物のねじ穴及びナット、あるいはそのいずれかに螺入又は螺合され、
前記内側を漏斗状断面に加工した異形ワッシャーの外周縁は螺着されたねじ又はボルト頭部の高さに微小な余長を加えた高さを持つ断面を有するものであるよう加工する。
【実施例１】
【００１２】  以下、本考案の実施の形態を図にもとづいて説明する。
図１ａはねじ又はボルト頭部の周囲に余空間を有する異形ワッシャー１−１と、円錐台状断面を有するねじ又はボルト頭部１−２を併用した例を示す断面図であって、異形ワッシャー１−１の円周縁はねじ又はボルト頭部上面に余長１−３を加えた高さと面取り部１−４を有する断面を持ち、この余長によって生成される空間が、塗料の塗りこみしろ、あるいはシールの貼りこみしろとなる。ねじ又はボルトの頭部が全没するよう漏斗部が加工されているに場合は、さらにその空間が拡張されることは言うまでもない。図１ｂは前記組合せによる上面図である。【００１３】  図２ａはねじ又はボルトの頭部の周囲に余空間を有しない異形ワッシャー２−１と、頭部が円錐台状断面を有するねじ又はボルト２−２を併用した例を示す断面図であって、異形ワッシャー２−１の円周縁はねじ又はボルトの頭部上面に余長２−３を加えた高さと面取り部２−４を有する断面を持ち、この余長によって生成される空間が、塗料の塗りこみしろ、あるいはシールの貼りこみしろとなる。図２ｂは前記組合せによる上面図である。
【実施例２】
【００１４】  図面には示していないが、異形ワッシャーに絶縁体を使って皮膜を生成することにより、家電製品などのアース線の接続にも安全な接続ねじ又はボルトとして使用することが想定される。
【実施例３】
【００１５】  図３は頭部の形状が円柱もしくは多角柱であるねじ又はボルト３−２と凹型断面を有する異形ワッシャー３−１を併用した場合を示す断面図であって、凹型断面を有する異形ワッシャー３−１を併用することにより、頭部が円形のものに限らず、例えば、六角形のものなどにも対応する。
【産業上の利用可能性】
【００１６】  ねじ又はボルト及びワッシャーが多用される建物、橋梁、鉄塔、鋼製船等の構築物ならびに鋼製工芸品、車両、家電製品等の工作物において、特定のねじ又はボルト部のみを周囲の塗装色と区別して、ねじ又はボルトの頭部に所望の色の塗料を塗り込んだり、シールを貼り込んだりする、いわゆるマーキングや、工芸品や車両のナンバープレートの取付けネジなどにおいては、樹脂や漆を塗りこんでアクセントを付けたり、シールを貼ったりして他との差別化を図りたい等の需要がある。例えば、橋梁においては中心から両岸へ向かう距離目盛として利用する、鉄塔においては地上からの高さを表示する目盛りとして利用する、家電製品においてはアース極、プラス極を表示して、なおかつ安全な接続用ねじ又はボルトとして使用すること等が想定される。
【図面の簡単な説明】
【００１７】
【図１】 
【ａ】
ねじ又はボルトの頭部の周囲に余空間を有する異形ワッシャーと、頭部に円錐台状断面を有するねじ又はボルトを併用した例を示す断面図である。（実施例１）
【ｂ】
ねじ又はボルト頭部の周囲に余空間を有する異形ワッシャーと、頭部に円錐台状断面を有するねじ又はボルトを併用した例を示す上面図である。（実施例１）
【図２】
【ａ】
ねじ又はボルトの頭部の周囲に余空間を有しない異形ワッシャーと、頭部に円錐台状断面を有するねじ又はボルトを併用した例を示す断面図である。（実施例２）
【ｂ】
ねじ又はボルトの頭部の周囲に余空間を有しない異形ワッシャーと、頭部に円錐台状断面を有するねじ又はボルトを併用した例を示す上面図である。（実施例２）
【図３】
頭部の形状が円柱もしくは多角柱であるねじ又はボルトと凹型断面を有する異形ワッシャーを併用した場合を示す断面図である。（実施例３）
【符号の説明】
【００１８】１−１  異形ワッシャー
１−２  ねじ又はボルト
１−３  余長
１−４  面取り部
２−１  異形ワッシャー
２−２  ねじ又はボルト
２−３  余長
２−４  面取り部
３−１  異形ワッシャー
３−２  ねじ又はボルト
３−３  余長
３−４  面取り部
【図１】
0003100624.tif 000003
【図２】
0003100624.tif 000004
【図３】
0003100624.tif 000005